(57)【特許請求の範囲】
【請求項１】
舞台の奥側に配置される正面反射板と、舞台の脇側に配在される側面反射板と、舞台の上方に配在される天井反射板とを有してなる音響反射板装置において、上記側面反射板は舞台の間口壁に揺動可能に保持される前側構成体と、この前側構成体と分離して舞台の奥行き方向に折り畳み可能とされながら正面反射板に揺動可能に保持される後側構成体とを備えると共に、上記天井反射板は上記舞台の間口壁に起伏可能に保持される前側構成体と、この前側構成体と分離して正面反射板に起伏可能に保持される後側構成体とを備えてなることを特徴とする音響反射板装置。
【発明の詳細な説明】
【０００１】
【発明の属する技術分野】
この発明は、音響反射板装置に関し、特に、劇場の舞台上などに設けられる可動式に設定の音響反射板装置の改良に関する。
【０００２】
【従来技術とその問題点】
たとえば、劇場の舞台などに設けられる可動式に設定の音響反射板装置としては、従来から、種々の提案があるが、その中で、音響反射板装置が正面反射板，側面反射板および天井反射板にいわゆる分割されていて、利用時には各反射板を寄せ集めるようにし、不使用時には各反射板をそれぞれ舞台上方の空間に収納する、すなわち、吊り下げるとする提案がある。
【０００３】
この各反射板を吊り下げて収納する提案によれば、各反射板を舞台下方の空間に収納する提案に比較して、いわゆる床下工事が不要になる分有利と言えるが、反面、舞台上方の空間の効果的な利用を妨げることになる危惧がある。
【０００４】
すなわち、一般に、舞台上方の空間は、吊り物と称される照明やマイクロホンなどの各種の機器類が配在されるとしており、特に、近年では、この吊り物の全部ではないが、その何点かがこの上方の空間を水平方向で縦横に移動可能とされるように設定されることがある。
【０００５】
このことを勘案すると、各反射板が大型化されている場合には、これを舞台上方の空間に収納するとしてもその実現が困難になることが予想されるし、それだけでなく、場合によっては、この空間に元来配在されるべき吊り物の配在を省略させたりすることになる不具合がある。
【０００６】
この発明は、前記した事情を鑑みて創案されたものであって、その目的とするところは、所望の音響効果が得られるのはもちろんのこと、音響反射板装置を構成する各反射板が収納されるについてその収納場所のいたずらな占拠の危惧をなくしてその利用が便利となり、その汎用性の向上を期待するのに最適となる音響反射板装置を提供することである。
【０００７】
【課題を解決するための手段】
上記した目的を達成するために、この発明による音響反射板の構成を、舞台の奥側に配置される正面反射板と、舞台の脇側に配在される側面反射板と、舞台の上方に配在される天井反射板とを有してなる音響反射板装置において、上記側面反射板は舞台の間口壁に揺動可能に保持される前側構成体と、この前側構成体と分離して舞台の奥行き方向に折り畳み可能とされながら正面反射板に揺動可能に保持される後側構成体とを備えると共に、上記天井反射板は上記舞台の間口壁に起伏可能に保持される前側構成体と、この前側構成体と分離して正面反射板に起伏可能に保持される後側構成体とを備えてなるとする。
【００１０】
以下に、図示した実施の形態に基いて、本発明を説明するが、それに先立ち、本発明の参考例としての音響反射板装置を図１及び図２に従って説明すると、図１及び図２に示すように、例えば、劇場における舞台Ｓの図１及び図２中で右側となる奥側に配設される正面反射板１と、舞台Ｓの図２中で上側となる脇側に配設される一対の側面反射板２，２と、舞台Ｓの上方に配在される天井反射板３とを有してなる。
【００１１】
そして、側面反射板２と天井反射板３とがそれぞれ前側構成体２ａ，３ａと後側構成体２ｂ，３ｂとからなり、いわゆる分割された態様に設定されている。
【００１２】
そしてまた、側面反射板２における後側構成体２ｂが、図２中に破線図で示すように、舞台Ｓの奥行き方向に折り畳み可能とされながら正面反射板１に揺動可能に保持されている。
【００１３】
そしてさらに、天井反射板３における後側構成体３ｂが、図１中に破線図で示すように、正面反射板１に起伏可能に保持されている。
【００１４】
また、上記したところに加えて、図示する実施の形態では、側面反射板２における前側構成体２ａが、図２中に破線図で示すように、側面反射板２における後側構成体２ｂに対して舞台Ｓの奥行き方向に折り畳み可能にして連結されるとしている。
【００１５】
そしてまた、天井反射板３における前側構成体３ａが、図１中に破線図で示すように、天井反射板３における後側構成体３ｂに対して舞台Ｓの奥行き方向に折り畳み可能にして連結されるとしている。
【００１６】
このように、この参考例による音響反射板にあっては、これが各反射板１，２，３にいわゆる分割されてなることで、これが一体形成する場合に比較して、収納が容易になる。
【００１７】
のみならず、この参考例では、各反射板１，２，３がさらにいわゆる細分化されてなることで、その収納に際して大きなスペースを必要としないことになる点で有利となる。
【００１８】
上記した構成の下に、各反射板１，２，３について説明すると、まず、各反射板１，２，３は、それぞれが自己支持性を有するのに十分となる機械的強度を有するように形成されるのはもちろんのこと、図示しないが、それぞれが音響反射板仕様に構成されてなるもので、特に、それぞれのいわゆる内側面が音響反射面に設定された状態でいわゆるフレーム構造に構成されていて、その軽量化が図られている。
【００１９】
つぎに、正面反射板１は、リンク機構４を介して舞台Ｓの奥壁Ｓ２に昇降可能に保持されるとしており、正面反射板１の昇降は、図示するところでは、リンク機構４を構成するリンク部材４ａの先端側たる揺動端側に連繋された吊りワイヤ５を牽引することによるとしている。
【００２０】
ちなみに、リンク部材４ａの基端は、舞台Ｓの奥壁Ｓ２に枢着されており、また、リンク部材４ａの先端は、正面反射板１の裏面に展設された支持フレーム１ａに枢着されている。
【００２１】
その結果、正面反射板１がリンク機構４の介在下に上昇されるときには、これが舞台Ｓの奥壁Ｓ２に近接して副うようになり、したがって、いわゆるデッドスペースを大きくしない収納が可能になる。
【００２２】
上記のとき、側面反射板２における後側構成体２ｂが正面反射板１の両側に回動可能に連結されてなるとするもので、この後側構成体２ｂを舞台Ｓの奥行き方向に折り畳みおよび引き伸ばす各動作は、図示するところでは、いわゆる人手によるとしているが、これに代えて、図示しないが、たとえば、後側構成体２ｂに設けられた適宜の駆動機構によるとしても良い。
【００２３】
ただ、図示する実施の形態のように、人手によるとする場合には、適宜の駆動機構を利用する場合に比較して、重量の軽減化による操作性や搬送性を良くし、また、コストの低減化を図る上で有利となる。
【００２４】
このように、側面反射板２における後側構成体２ｂが折り畳み可能にして揺動可能に正面反射板１に連結されることで、その不使用時の収納に際して、正面反射板１と共に奥壁Ｓ２に近接して副うようになり、いわゆるコンパクトな収納が可能になる。
【００２５】
つぎに、天井反射板３における後側構成体３ｂは、正面反射板１に起伏可能に保持されてなるとするが、この後側構成体３ｂの起伏は、図示する実施の形態にあって、正面反射板１の裏面に展設の支持フレーム１ａに配設されているウインチ６の駆動によるとしている。
【００２６】
すなわち、ウインチ６から引き出される牽引ワイヤ６ａの一端が後側構成体３ｂの上端側に連繋されており、牽引ワイヤ６ａがウインチ６によって巻き取られるとき、図１中に破線図で示すように、後側構成体３ｂがその基端、すなわち、正面反射板１への枢着点を中心にして起立するとしている。
【００２７】
このとき、図示する実施の形態では、天井反射板３における前側構成体３ａが後側構成体３ｂに対して起伏可能に保持されているとするから、後側構成体３ｂを起立させるとき、前側構成体３ａも併せて起立されることになり、上記した側面反射板２と同様に、正面反射板１の奥壁に近接する上昇によって、いわゆるコンパクトな収納が可能になる。
【００２８】
なお、天井反射板３における前側構成体３ａの起伏は、図示する実施の形態では、前側構成体３ａのいわゆる上端側に吊りワイヤ７の一端が連繋されていて、この吊りワイヤ７が適宜の手段で引き上げられるときいわゆる起立し、この吊りワイヤ７が緩められるときに、図１中に破線図で示すように、いわゆる倒れるとしている。
【００２９】
また、上記の吊りワイヤ７及び前記した吊りワイヤ５は、所定の機械的強度を有するのは勿論で、図示しないが、一般には、舞台Ｓの上方の天井近辺などに配置される巻取装置類から垂下されるとしている。
【００３０】
この参考例による音響反射板が以上のように形成されていることから、その不使用時の収納に際しては、正面反射板１がリンク機構４の配在下に舞台の奥壁Ｓ２に副うようにして収納されることになり、このとき、この正面反射板１に側面反射板２及び天井反射板３が保持されているから、言わばコンパクトな収納が可能になり、舞台Ｓの上方の空間をいたずらに広い面積で占拠せずして、例えば、バトンの配置を妨げたりしないことになる。
【００３１】
次に、本発明の実施の形態を示すが、本発明は上記参考例に示した音響反射板装置において、天井反射板及び側面反射板における前側構成体が後側構成体と分離されていて正面反射板側に保持されない点において特徴があり、以下にその特徴部分について詳述する。
図３に示すように、天井反射板３における前側反射板３ａは舞台Ｓの間口壁Ｓ１に起伏状態に保持されてなるとし、天井反射板３における後側構成体３ｂとは分離されているとしている。
【００３２】
このように設定することで、正面反射板１に保持される天井反射板３における重量が軽減されることになり、したがって、リンク機構４を前記した実施の形態の場合に比較して、軽微な構成に設定でき、また、吊りワイヤ５の強度を下げることも可能になり、音響反射板装置のコストの低減を図り得ることになる点で有利となる。
【００３３】
この実施の形態では、吊りワイヤ７の下端は、前側構成体３ａの言わば下端側に連繋されていて、この吊りワイヤ７を引き上げるとき、図示するように、いわゆる利用可能状態を具現化でき、吊りワイヤ７を降ろすとき、図中に破線図で示すように、いわゆる不使用状態を具現化できることになる。
【００３４】
図４に示すように、側面反射板２における前側構成体２ａは舞台Ｓの間口壁Ｓ１に揺動可能に保持されてなるとし、側面反射板２における後側構成体２ｂとは分離されているとしている。
【００３５】
このように設定することで、正面反射板１に保持される側面反射板２における重量が軽減されることになり、したがって、リンク機構４を前記した実施の形態の場合に比較して、軽微な構成に設定でき、上記した天井反射板３の場合と相俟って、音響反射板装置のコストの低減を図り得ることになる。
【００３６】
この実施の形態では、側面反射板２における前側構成体２ａの揺動は、前記した後側構成体２ｂの場合と同様に、いわゆる人手によるとしている。
【００３７】
以上からして、この前側構成体２ａの揺動にあって、人手によるのに代えて、この前側構成体２ａあるいは間口壁Ｓ１のいずれかの設けられた適宜の駆動機構によるとしても良いが、ただ、図示する実施の形態のように、人手によるとする場合には、適宜の駆動機構を利用する場合に比較して、重量の軽減化による操作性や搬送性を良くし、また、コストの低減化を図る上で有利となる。
【００３８】
前記したところでは、吊りワイヤ５がリンク部材４ａに連繋されていて、吊りワイヤ５を介してリンク部材４ａ先端を上昇させることで正面反射板１を上昇させるとしているが、これに代えて、図示しないが、吊りワイヤ５が直接正面反射板１の上端に連繋されていて、したがって、吊りワイヤ５の引き上げで正面反射板１を直接上昇させるとしても良い。
【００３９】
ただ、吊りワイヤ５がリンク部材４ａの先端に連繋されるとする場合には、吊りワイヤ５が正面反射板１の上端に連繋されるとする場合に比較して、正面反射板１を音響反射作用のみを考慮して形成すれば良く、必要以上にいわゆる強度アップを図らなくても良いことになる点で有利となる。
【００４０】
また、図示する実施の形態では、リンク部材４ａの揺動が吊りワイヤ５の引き上げによるとしているが、これに代えて、図示しないが、リンク部材４ａあるいは舞台Ｓの奥壁Ｓ２に装備される適宜の駆動機構によるとしても良い。
【００４１】
ただ、図示する実施の形態のように、リンク部材４ａの揺動を吊りワイヤ５の引き上げによるとする場合には、適宜の駆動機構を利用する場合に比較して、コストの低減化を図る上で有利となる。
【００４２】
【発明の効果】
以上のように、この発明にあっては、音響反射板装置が各反射板に分割されてなるだけでなく、側面反射板および天井反射板がさらに細分化されてなるとするから、音響反射板装置が一体形成されている場合に比較して、その収納が容易になるのはもちろんのこと、収納のための大きなスペースを必要としないことになる。
【００４３】
のみならず、この発明にあっては、音響反射板装置の収納にあって、正面反射板を舞台の奥壁に副うように近接させた状態で収納すると共に、この正面反射板に側面反射板及び天井反射板における後側構成体を保持させるとするから、コンパクトな収納が可能になるのは勿論のこと、音響反射板装置を舞台の上方に吊り上げるのに比較して、上方空間の効率的な利用を妨げないことになる。
【００４５】
また、側面反射板における前側構成体が舞台の間口壁に揺動可能に保持され、天井反射板における前側構成体が舞台の間口壁に起伏可能に保持されてなるとする場合には、舞台の奥壁に近接する正面反射板に保持される反射板の総量が減るから正面反射板を昇降させるリンク機構や吊りワイヤの構成をいわゆる軽微化し得ることになり、コストの低減化を可能にする。
【００４６】
その結果、この発明によれば、音響反射板装置によって所望の音響効果が得られるのはもちろんのこと、音響反射板装置を構成する各反射板が収納されるについてその収納場所のいたずらな占拠の危惧をなくしてその利用が便利となり、その汎用性の向上を期待するのに最適となる利点がある。
【図面の簡単な説明】
【図１】    この発明の参考例としての音響反射板装置を使用状態で示す縦断側面図である。
【図２】    図１に示す音響反射板装置を使用状態で示す横断平面図である。
【図３】    本発明の実施の形態を示す音響反射板装置の部分概略縦断面図である。
【図４】    図３の音響反射板装置の部分概略平面図である。
【符号の説明】
１  正面反射板
２  側面反射板
２ａ，３ａ  前側構成体
２ｂ，３ｂ  後側構成体
３  天井反射板
４  リンク機構
４ａ  リンク部材
５，７  吊りワイヤ
６  ウインチ
６ａ  牽引ワイヤ
Ｓ  舞台
Ｓ１  間口壁
Ｓ２  奥壁
【図１】
0003886089.tif 000002
【図２】
0003886089.tif 000003
【図３】
0003886089.tif 000004
【図４】
0003886089.tif 000005